(57)【要約】【課題】ヘルメットの形状に沿って湾曲可能で容易に着脱自在であり、ヘルメットを着用した作業者の入退場の管理や位置の確認などを確実に行うことができるヘルメットタグを提供する。【解決手段】適度な柔軟性を有する合成樹脂で作られ一方向に長い板状の本体１２が設けられ、本体１２には、面一にアンテナ線が設けられ湾曲可能なアンテナ部１４を備える。本体１２の長手方向の中心に取り付けられ、本体１２の長手方向に交差する方向に長い形状でありアンテナ部１４に接続されたＩＣチップを有した回路基板４０を備える。本体１２の長手方向が、着用状態におけるヘルメット６６の水平方向に沿って取り付けられ、本体１２がアンテナ部１４とともにヘルメット６６の曲率半径の小さい部分である水平方向の円弧形状に沿って湾曲する。回路基板４０は、平坦な状態でヘルメット６６の曲率半径の大きい部分である垂直方向に沿っている。【選択図】図１
2010202998.tif 000002
【特許請求の範囲】
【請求項１】
適度な柔軟性を有する合成樹脂で作られ一方向に長い板状の本体が設けられ、前記本体には、面一にアンテナ線が設けられ前記本体とともに湾曲可能なアンテナ部と、前記本体の長手方向の中心に取り付けられ前記本体の長手方向に交差する方向に長い形状であり前記アンテナ部に接続されたＩＣチップを有した回路基板とが設けられ、前記ヘルメットタグは、前記本体の長手方向が、着用状態におけるヘルメットの水平方向に沿って取り付けられ、前記本体が前記アンテナ部とともに前記ヘルメットの曲率半径の小さい部分である水平方向の円弧形状に沿って湾曲し、前記回路基板は平坦な状態でヘルメットの曲率半径の大きい部分である垂直方向に沿っていることを特徴とするヘルメットタグ。
【請求項２】
前記回路基板の長手方向に配置され前記回路基板を前記本体に取り付ける複数のネジを備え、前記ネジは前記回路基板長手方向に沿って設けられていることを特徴とする請求項１記載のヘルメットタグ。
【請求項３】
前記回路基板には、前記ヘルメットを人が装着したことを検知するセンサが設けられていることを特徴とする請求項１又は２記載のヘルメットタグ。
【請求項４】
前記回路基板は、前記本体の長手方向に交差する方向の長さの一部を覆う長さであり、前記本体の長手方向に交差する方向の残りの部分に電池が並べられて設けられていることを特徴とする請求項１又は２記載のヘルメットタグ。
【請求項５】
前記本体の前記回路基板側の面には、回路基板を覆うカバーが取り付けられ、さらに前記カバーの外側には防水機能を有するシールが貼り付けられ、前記シールには印刷部が設けられていることを特徴とする請求項１又は２記載のヘルメットタグ。
【発明の詳細な説明】
【技術分野】
【０００１】
この発明は、ヘルメットに取り付けるヘルメットタグに関する。
【背景技術】
【０００２】
従来、ＲＦＩＤ（Radio Frequency Identification）データキャリア等のＩＣチップが設けられたＩＣタグを特定の人が身につけ、任意の場所に送受信機を取り付けることにより所定の場所の入退場管理や位置の確認を行うことがある。例えば、シールド工事やトンネル工事等の特定現場に入退場する作業者が、このようなＩＣタグを付けたヘルメットを着用し、入退場を管理したり作業者の位置を監視したりするものがある。
【０００３】
特許文献１に開示されている非接触ＩＣタグ付きヘルメット及びそれを利用する入退場管理装置は、ヘルメット本体に非接触ＩＣタグが取り付けられて、非接触ＩＣタグは、アンテナ部と、アンテナ部に接続されるＩＣチップと、アンテナ部とＩＣチップを覆うシート材により構成されている。アンテナ部は、非接触ＩＣタグの周縁に沿ってアンテナ線が平面状に捲き回され、そのアンテナ線の内側にＩＣチップが位置してアンテナ線の両端部がＩＣチップに接続されている。特許文献２に開示されている入退場管理システムも、特許文献１と同様のヘルメットを使用するものである。
【０００４】
特許文献３に開示されている作業環境監視システムは、ヘルメット本体に無線ＩＣタグを取り付け、ヘルメットの全周に沿って等間隔に複数のアンテナが設置されているもので、アンテナは、ヘルメット本体の頂部に設けても良いものである。
【先行技術文献】
【特許文献】
【０００５】
【特許文献１】特開２００６−４０６５号
【特許文献２】特開２００６−２２５２４号
【特許文献３】特開２００８―９７５９２号
【発明の概要】
【発明が解決しようとする課題】
【０００６】
上記背景技術の場合、ＩＣタグは板状の回路基板が設けられているため、平坦な板体に形成されている。このため、ＩＣタグは、半円形に成形されたヘルメットに取り付けにくいものであった。従って、ＩＣタグをヘルメットの内側面に取り付ける際には、フレキシブル基板にＩＣチップやその他の回路を形成し、ヘルメットと一体に設けられていた。ヘルメットの曲線に合わせて一体にＩＣタグを組込む場合は、ヘルメット生産時から一体に形成しなければならず、コストもかかるものであった。また、ＩＣタグがヘルメットに一体に固定されており、着脱可能なものではないので、通常の名札やその他のＩＤカードとヘルメット用のＩＣタグを兼用して用いることができず、ヘルメット専用のＩＣタグを使用しなければならず、コストもかかるものであった。
【０００７】
また、従来のヘルメットに取り付け可能なＩＣタグは、ヘルメットの湾曲によりヘルメットに外付けされ、その突起により周りの壁面等にぶつける可能性が高いものであった。さらに、ヘルメットに外付けされた場合、ヘルメット内に人感センサ等を組込む事が難しく、人が装着しているか否かがわからないものであった。
【０００８】
この発明は、上記背景技術の問題点に鑑みてなされたものであり、ヘルメットの形状に沿って湾曲可能で容易に着脱自在であり、ヘルメットを着用した作業者の入退場の管理や位置の確認などを確実に行うことができるヘルメットタグを提供することを目的とする。
【課題を解決するための手段】
【０００９】
本発明は、適度な柔軟性を有する合成樹脂で作られ一方向に長い板状の本体が設けられ、前記本体には、面一にアンテナ線が設けられ前記本体とともに湾曲可能なアンテナ部と、前記本体の長手方向の中心に取り付けられ前記本体の長手方向に交差する方向に長い形状であり前記アンテナ部に接続されたＩＣチップを有した回路基板とが設けられ、前記ヘルメットタグは、前記本体の長手方向が、着用状態におけるヘルメットの水平方向に沿って取り付けられ、前記本体が前記アンテナ部とともに前記ヘルメットの曲率半径の小さい部分である水平方向の円弧形状に沿って湾曲し、前記回路基板は平坦な状態でヘルメットの曲率半径の大きい部分である垂直方向に沿っているヘルメットタグである。
【００１０】
さらに、前記回路基板の長手方向に配置され前記回路基板を前記本体に取り付ける複数のネジを備え、前記ネジは前記回路基板長手方向に沿って設けられているものである。
【００１１】
また、前記回路基板には、前記ヘルメットを人が装着したことを検知する人感センサや温度センサ等のセンサが設けられているものである。
【００１２】
前記回路基板は、前記本体の長手方向に交差する方向の長さの一部を覆う長さであり、前記本体の長手方向に交差する方向の残りの部分に電池が並べられて設けられているものである。
【００１３】
また、前記本体の前記回路基板側の面には、回路基板を覆うカバーが取り付けられ、さらに前記カバーの外側には防水機能を有するシールが貼り付けられ、前記シールには印刷部が設けられているものである。
【発明の効果】
【００１４】
本発明のヘルメットタグは、ヘルメットの形状に沿って湾曲して容易に着脱自在に取り付けることができ、既存のＩＣタグ素子等を利用してＩＤカードと兼用可能であり、コストもかからないものである。さらに、ヘルメットの曲面に沿って湾曲させることも容易であり、着用感が良好なものである。
【図面の簡単な説明】
【００１５】
【図１】この発明の第一実施形態のヘルメットタグの分解斜視図である。
【図２】この実施形態のヘルメットタグの斜視図である。
【図３】この実施形態のヘルメットタグの背面図である。
【図４】この実施形態のヘルメットタグの正面図である。
【図５】図３のＡ―Ａ線断面図である。
【図６】この実施形態のヘルメットタグの使用状態を示す正面図である。
【図７】この実施形態のヘルメットタグの使用状態を示す右側面図である。
【発明を実施するための形態】
【００１６】
以下、この発明の実施形態について図面に基づいて説明する。図１〜図７はこの発明の一実施形態を示すもので、この実施形態のヘルメットタグ１０は、一方向に長い矩形の板状の本体１２が設けられている。本体１２は、適度な柔軟性を有する合成樹脂で作られている。本体１２内の図示しないフレキシブル基板には、一方の側面１２ａの周縁部にアンテナ線が設けられ、本体１２自身がアンテナ部１４となっている。つまりアンテナ部１４は本体１２と共に柔軟性を有し湾曲可能である。
【００１７】
本体１２の長手方向の中心には、側面１２ａと反対側の側面１２ｂに、収容部１６が厚み方向に一定高さに突出して形成されている。収容部１６の内側は、本体１２の長手方向に直交する方向に長い矩形であり、側面１２ａ側が開口する中空となっている。収容部１６の長手方向の端部は、本体１２の両側縁部近傍に達している。収容部１６の、一方の端部に近い部分は電池収容部１６ａであり、後述する電池２２が嵌合される電池用透孔１５が側面１２ａ、１２ｂに貫通して形成されている。電池用透孔１５の内周面には後述する電池２２が側面１２ａ側へ落下しないように当接する係止部１５ａが形成されている。電池用透孔１５の近傍には、後述するネジ２８が挿通される穴部１７が設けられている。収容部１６の、電池収容部１６ａの他の部分は回路基板収容部１６ｂであり、電池収容部１６ａに近い部分には、図示しない電源ランプ用透孔と電源ランプ用透孔よりも大きいスイッチ用透孔２０が並んで貫通して設けられている。
【００１８】
収容部１６の電池収容部１６ａには、本体１２の側面１２ｂの方から、電池２２が電池用透孔１５に嵌合されて取り付けられている。電池２２の外側には、電池用透孔１５に嵌合される形状の板体である電池カバー２４が設けられている。電池カバー２４には、電池収容部１６ａの穴部１７に連通する穴部２６が形成され、穴部２６の反対側の円周上には電池用透孔１５の内周面に係止される突起２７が設けられている。電池カバー２４の、電池２２と反対側の面には、電池収容部１６ａを覆う保護シート３８が設けられている。
【００１９】
収容部１６の回路基板収容部１６ｂには、本体１２の側面１２ｂ側に、電源ランプ用透孔とスイッチ用透孔２０の周囲を覆うスイッチ部カバー３０が設けられている。スイッチ部カバー３０は、回路基板収容部１６ｂの、電池収容部１６ａ近傍の一部を覆う矩形の板体であり、電源ランプ用透孔、スイッチ用透孔２０にそれぞれ連通する電源ランプ用透孔３２、スイッチ用透孔３４が設けられている。電源ランプ用透孔３２、スイッチ用透孔３４の近傍には、「電源」「ＯＮ／ＯＦＦ」という文字等が印刷された印刷部３６が設けられている。
【００２０】
収容部１６の回路基板収容部１６ｂには、本体１２の側面１２ａの方から、硬い合成樹脂で作られた回路基板４０が取り付けられている。回路基板４０は、本体１２の長手方向に交差する方向に長い矩形に形成され、長手方向の一端部近傍には、回路基板収容部１６ｂの電源ランプ用透孔に対向するＬＥＤ等の電源ランプ４２と、回路基板収容部１６ｂのスイッチ用透孔２０に対向するスイッチ４４が設けられている。回路基板４０の、反対側の端部近傍には、図示しないセンサが取り付けられ、このセンサは、人感センサまたは温度センサであり、本体１２を挟んで側面１２ｂ側の外部の温度変化を検知するものである。回路基板４０には、その他にアンテナ部１４に接続される図示しないＩＤカード用のＩＣチップが設けられ、アンテナ線と接続されている。回路基板４０の、センサと反対側の端部、つまり電源ランプ４２、スイッチ４４近傍の端部は電池２２に隣接し、電池２２の外周面に沿う円弧状の凹部に形成され、電池２２に接続される端子４６，４８が突出して設けられている。
【００２１】
収容部１６には、本体１２の側面１２ａの方から、電池２２と回路基板４０を覆う収容部カバー５０が設けられている。収容部カバー５０は、収容部１６の開口部を閉鎖する大きさの矩形の板体である。収容部カバー５０の、収容部１６側の面には、電池２２に対向する位置に電池収容凹部５０ａが形成され、回路基板４０に対向する位置に回路基板収容凹部５０ｂが形成されている。電池収容凹部５０ａの近傍には、収容部１６の穴部１７に対向する位置に筒状の雌ネジ部５２が設けられている。回路基板収容凹部５０ｂのほぼ中心には、後述するネジ５６が挿通される円筒状の穴部５４が設けられている。収容部カバー５０の、電池収容凹部５０ａと、収容部カバー５０の端部との間には、後述するネジ６０が挿通される穴部５８が設けられている。
【００２２】
なお、回路基板４０には、収容部カバー５０の穴部５４に対向する位置に透孔４１が設けられ、本体１２の収容部１６には、収容部カバー５０の穴部５４に対向する位置に筒状の雌ネジ部１３が設けられ、収容部カバー５０の穴部５８に対向する位置にも図示しない筒状の雌ネジ部が設けられている。
【００２３】
本体１２の側面１２ａには、本体１２とほぼ同じ大きさのシート６２が、収容部カバー５０を覆って両面テープ等で貼り付けられている。シート６２の、本体１２と反対側の面には、作業者の名前等の印刷部６４が設けられている。シート６２は、防水機能を有するものでも良い。
【００２４】
次に、ヘルメットタグ１０の組立方法について説明する。本体１２の収容部１６の回路基板収容部１６ｂに、回路基板４０を入れ、収容部カバー５０を収容部１６に嵌合し、収容部カバー５０の穴部５４と、回路基板４０の透孔４１と、本体１２の雌ネジ部１３を一致させ、収容部カバー５０の外側からネジ５６を差し込んで螺合して固定する。本体１２の収容部１６の電池収容部１６ａに、側面１２ｂ側から電池２２を入れて電池用透孔１５に嵌合し、次に電池カバー２４を電池用透孔１５に嵌合し、電池カバー２４の穴部２６と、本体１２の穴部１７と、収容部カバー５０の雌ネジ部５２を一致させ、電池カバー２４の外側からネジ２８を差し込んで螺合して固定する。また、収容部カバー５０の穴部５８は収容部１６の図示しない雌ネジ部に一致し、収容部カバー５０の外側からネジ６０を差し込んで螺合して固定する。収容部１６の電池収容部１６ａに、電池カバー２４を覆って保護シート３８を取り付ける。回路基板収容部１６ｂには、スイッチ部カバー３０を取り付ける。本体１２の側面１２ａには、回路基板４０を覆ってシート６２を取り付ける。シート６２は、両面テープ等で貼り付けられても良い。
【００２５】
次に、ヘルメットタグ１０の使用方法について図６、図７に基づいて説明する。ヘルメット６６の横部分には、内ポケット状等の収容部６８が形成されている。収容部６８はヘルメット６６の周面方向の曲面に沿った湾曲した形状である。この収容部６８を備えたヘルメット６６の収容部６８内に、ヘルメットタグ１０を入れる。このときヘルメットタグ１０の本体１２の側面１２ｂが頭部側を向くようにし、ヘルメットタグ１０の長手方向がヘルメット６６を着用したときに水平となる方向にセットする。これにより、本体１２と同じ部分に設けられ柔軟性を有するアンテナ部１４が、ヘルメット６６の曲率半径の大きい湾曲である水平方向の円弧形状に沿って湾曲する。
【００２６】
一方、硬い合成樹脂等で作られた回路基板４０が収容されている収容部１６は、ヘルメットタグ１０の中心部で幅の狭い方を水平方向にして位置しているので、回路基板４０の長手方向にはほとんど湾曲せず、平坦な状態でヘルメット６６に装着される。
【００２７】
この後、ヘルメットタグ１０を取り付けたヘルメット６６を、作業者７０が被り、スイッチ４４をＯＮすると、ヘルメットタグ１０は、回路基板４０に取り付けられたＩＣチップとアンテナ部１４により授受される信号により、所定の場所の特定人の入退場管理や位置の確認を行うことができる。また、回路基板４０に取り付けられたセンサにより、ヘルメット６６が作業者７０に着用されているかを確認することができる。
【００２８】
この実施形態のヘルメットタグ１０によれば、名札やＩＤカードと兼用可能であり、ヘルメット６６に簡単に取り付けてヘルメット６６を作業者７０に被せて、確実に作業者７０の入退場の管理や位置の確認を行うことができる。ヘルメットタグ１０は本体１２が柔軟性を有しているため、ヘルメットの形状に沿って湾曲して容易に取り付けることができ、着用感も良好なものである。
【００２９】
特に、このヘルメットタグ１０は、ヘルメット６６の曲率半径を大きくとることができない水平方向には、本体１２つまりアンテナ部１４の長手方向を一致させて容易に湾曲可能とし、ヘルメット６６の曲率半径を比較的大きくすることができる部分である側面の垂直方向には、収容部１６を設け、湾曲し難い回路基板４０を垂直方向に長く配置して収容したものである。さらに、ヘルメットタグ１０の組み立てにおいて、ネジ２８，５６，６０が固定された間の部分は湾曲し難いため、ネジ２８，５６，６０は湾曲しない垂直方向に配置して収容部１６に設けられ、湾曲の妨げとはならない。また、収容部１６には電池２２が収容され、電池２２にも湾曲する方向に力が加えられず外れや破損の恐れがない。ヘルメットタグ１０には人感センサまたは温度センサが設けられているため、ヘルメット６６が作業者７０に着用されているかを確認することができ、着用時のみ電池が作動するように制御することにより、電池寿命を延ばすことができる。
【００３０】
さらに、ヘルメットタグ１０は、ヘルメット６６の収容部６８に入れるだけなので着脱自在であり、ヘルメット６６を着用しないときはヘルメットタグ１０を外して衣服に付けたりストラップで首から下げて使用することができ、ＩＤカード等の兼用することができ便利である。ヘルメットタグ１０は本体１２が柔軟な合成樹脂で作られているため、ヘルメット６６の落下などの衝撃を受けても破損することが少ない。
【００３１】
なお、この発明のヘルメットタグは、上記実施形態に限定されるものではなく、各部材の形態は自由に変更可能であり、収容部は所定の方向に長く設けられていれば良く、電池と回路基板の配置等は自由に変更可能である。
【符号の説明】
【００３２】
１０  ヘルメットタグ
１２  本体
１４  アンテナ部
１６  収容部
２２  電池
２４  電池カバー
２８，５６，６０  ネジ
３０  スイッチ部カバー
３８  保護シート
４０  回路基板
５０  収容部カバー
６２  シート
６６  ヘルメット
６８  収容部
【図１】
2010202998.tif 000003
【図２】
2010202998.tif 000004
【図３】
2010202998.tif 000005
【図４】
2010202998.tif 000006
【図５】
2010202998.tif 000007
【図６】
2010202998.tif 000008
【図７】
2010202998.tif 000009